(57)【特許請求の範囲】
【請求項１】
内底面に複数の固定接点を並設した上面開放の箱形のケースと、中央部に開口孔を有しケースの上面を覆うカバーと、ケース内に上下動可能に収納されカバーの開口孔から突出する操作部を有するノブと、一端がケース内底面に固定され、この固定端及び対向する自由端のやや上方に各々係止部を有する略コの字状の弾性金属薄板製の保持体と、一端の支点部が保持体の自由端側の係止部に揺動可能に係合保持され他端に係合部を有する可動片と、一端の支点部が保持体の固定端側の係止部に他端の係合部が可動片の係合部に各々揺動可能に係合保持され、上記ノブ下面が保持体を撓めながら可動片を押圧することによりケース内底面を弾接摺動して固定接点と接離するアーム状の可動接点部を有する接触片からなるプッシュスイッチ。
【請求項２】
ノブ下面に保持体を収容する中空の収容部を設けた請求項１記載のプッシュスイッチ。
【請求項３】
保持体の固定端と固定接点の一つを一体形成した請求項１または２記載のプッシュスイッチ。
【請求項４】
カバーに代えて、ケース上端面の内側壁にノブ本体部の上面が当接する突出部を設けた請求項１〜３のいずれか一つに記載のプッシュスイッチ。
【請求項５】
可動片と接触片を金属薄板で連結部を介して一体形成し、これを保持体に係合保持した後、連結部を切断して可動片と接触片のそれぞれに分割するようにした請求項１〜４のいずれか一つに記載のプッシュスイッチの組立て方法。
【発明の詳細な説明】
【０００１】
【発明の属する技術分野】
本発明は、各種電子機器に使用されるプッシュスイッチ及びその組立て方法に関するものである。
【０００２】
【従来の技術】
従来のこの種のプッシュスイッチについて、図８及び図９を用いて説明する。
【０００３】
図８は従来のプッシュスイッチの断面図であり、同図において、１は樹脂からなる上面開放の箱形のケースで、その内底面には、固定接点２と保持体３が植設されている。
【０００４】
そして、４は中央部に開口孔４Ａを有しケース１の上面を覆うカバー、５はケース１内に上下方向に摺動可能に収納されたノブで、ケース１とカバー４は各々側面に設けた係合爪１Ａと係合孔４Ｂによってスナップフィット結合され、ノブ５の操作部５Ａがカバー４の開口孔４Ａから上方に突出している。
【０００５】
また、６は同図における右端部が可動接点６Ａとなった弾性金属薄板製の接触片で、同左端部の支点部６Ｂが保持体３左面の係止部３Ａに係止されると共に、中間部に設けられた弾性舌片６Ｃがやや撓んだ状態で、先端部を保持体３の係止部３Ａよりもやや下方の右面の係止部３Ｂに係止されることによって、右端の可動接点６Ａ側が上方に付勢されノブ５を上方に押し上げている。
【０００６】
このように構成された従来のプッシュスイッチの動作について説明すると、まず、カバー４の開口孔４Ａから突出したノブ５の操作部５Ａを、図９に示すように下方向へ押圧操作すると、ノブ５の下面に右端部を押圧された接触片６が保持体３の係止部３Ａを支点として揺動し、弾性舌片６Ｃがさらに撓んだ後、可動接点６Ａの先端が固定接点２に押し付けられることによって、接触片６を介して固定接点２と保持体３が電気的に接続される。
【０００７】
また、ノブ５の操作部５Ａに対する押圧力を解除すると、弾性舌片６Ｃの弾性復帰力によって接触片６及びノブ５が図８の押圧前の位置に復帰し、可動接点６Ａの先端も固定接点２から離れて電気的にＯＦＦとなるものであった。
【０００８】
【発明が解決しようとする課題】
しかしながら上記従来のプッシュスイッチにおいては、弾性金属薄板製の接触片６と一体になった弾性舌片６Ｃの弾性力によって、固定接点２との電気的接離を行っているため、この弾性舌片６Ｃの根元部に応力が集中しスイッチとしての長寿命化を図ることが困難であると共に、可動接点６Ａと固定接点２との確実な電気的接離及び所定の大きさの操作力を得ようとすると、接触片６の弾性舌片６Ｃをある程度大きな形状とすることが必要であり、スイッチ全体の小形化が図りづらいという課題があった。
【０００９】
本発明はこのような従来の課題を解決するものであり、スイッチとしての長寿命化が図れる小形のプッシュスイッチを提供することを目的とするものである。
【００１０】
【課題を解決するための手段】
上記課題を解決するために本発明のプッシュスイッチは、一端がケース内底面に固定され、この固定端及び対向する自由端に各々係止部を有する略コの字状の弾性金属薄板製の保持体に、自由端側の係止部に可動片の一端の支点部を、固定端側の係止部に接触片の一端の支点部を各々揺動可能に係合保持すると共に、可動片の他端の係合部と接触片の他端の係合部を揺動可能に係合保持し、ノブ下面の可動片への押圧によって接触片のアーム状の可動接点部が固定接点と接離するように構成したものである。
【００１１】
これにより、小形で長寿命の安価なプッシュスイッチを得ることができる。
【００１２】
【発明の実施の形態】
本発明の請求項１に記載の発明は、内底面に複数の固定接点を並設した上面開放の箱形のケースと、中央部に開口孔を有しケースの上面を覆うカバーと、ケース内に上下動可能に収納されカバーの開口孔から突出する操作部を有するノブと、一端がケース内底面に固定され、この固定端及び対向する自由端のやや上方に各々係止部を有する略コの字状の弾性金属薄板製の保持体と、一端の支点部が保持体の自由端側の係止部に揺動可能に係合保持され他端に係合部を有する可動片と、一端の支点部が保持体の固定端側の係止部に他端の係合部が可動片の係合部に各々揺動可能に係合保持され、上記ノブ下面が保持体を撓めながら可動片を押圧することによりケース内底面を弾接摺動して固定接点と接離するアーム状の可動接点部を有する接触片からなる構成のプッシュスイッチとしたものであり、略コの字状の保持体全体を撓ませ、この弾性力によって複数の固定接点間の電気的接離を行なうため、保持体に局部的な応力が発生する部分がなくスイッチとしての長寿命化が図れると共に、保持体や接触片を小さな形状にすることができるためスイッチの小形化が図れ、安価なプッシュスイッチを得ることができるという作用を有する。
【００１３】
請求項２に記載の発明は、請求項１記載の発明において、ノブ下面に保持体を収容する中空の収容部を設けた構成としたもので、ノブを押圧操作した際にノブ下面が移動する分の中空の収容部がノブ下面に設けられているため、スイッチ全体の高さを低くでき小形化が図れるという作用を有する。
【００１４】
請求項３に記載の発明は、請求項１または２記載の発明において、保持体の固定端と固定接点の一つを一体形成した構成のもので、保持体と固定接点の一つを一体とすることで、使用部品数を削減できると共に、スイッチの組立て作業を簡素化できるという作用を有する。
【００１５】
請求項４に記載の発明は、請求項１〜３のいずれか一つに記載の発明において、カバーに代えて、ケース上端面の内側壁にノブ本体部の上面が当接する突出部を設けた構成としたもので、この突出部によってノブ本体部のケースからの飛び出しを防止できるため、カバーが不要となり使用部品数を削減できると共に、スイッチの組立て作業を簡素化できるという作用を有する。
【００１６】
請求項５に記載の発明は、請求項１〜４のいずれか一つに記載の発明によるプッシュスイッチを組立てるにおいて、可動片と接触片を金属薄板で連結部を介して一体形成し、これを保持体に係合保持した後、連結部を切断して可動片と接触片のそれぞれに分割するようにしたプッシュスイッチの組立て方法としたもので、可動片と接触片を一体とすることによって使用部品数を削減できると共に、これをあらかじめ保持体に組込んで部品のユニット化を図ることにより、スイッチの組立て作業時間を短縮できるという作用を有する。
【００１７】
以下、本発明の実施の形態について、図１〜図７を用いて説明する。
（実施の形態１）
図１は本発明の第１の実施の形態によるプッシュスイッチの断面図であり、同図において、２１は樹脂からなる上面開放の箱形のケース、２２は中央部に開口孔２２Ａを有しケース２１の上面を覆うカバー、７はケース２１内に上下方向に摺動可能に収納されたノブで、ケース２１の内底面には図２の上面図に示すように、固定接点８と９が並設され、カバー２２の開口孔２２Ａからはノブ７の操作部７Ａが上方に突出している。
【００１８】
そして、１０は一端がケース２１内底面に固定され、係止部１０Ａと１０Ｂを有する略コの字状の弾性金属薄板製の保持体で、固定端側と対向する自由端側の係止部１０Ａは、固定端側の係止部１０Ｂよりもやや上方に設けられている。
【００１９】
また、１１は図３の斜視図に示すように、略ロ字状にトリミングされた可動片、１２は両側にケース２１内底面に弾接するアーム状の可動接点部１２Ａを有する接触片で、可動片１１の端部に設けた支点部１１Ａがやや撓んだ保持体１０の一方の係止部１０Ａに、接触片１２の端部の支点部１２Ｂが保持体１０の他方の係止部１０Ｂに各々揺動可能に係合保持されると共に、可動片１１と接触片１２の他端部に設けられた係合部１１Ｂと１２Ｃは揺動可能に係合保持されている。
【００２０】
このように構成された本実施の形態のプッシュスイッチの動作について説明すると、まず、カバー２２の開口孔２２Ａから突出したノブ７の操作部７Ａを、図４に示すように下方向へ押圧操作すると、ノブ７下面の突起７Ｂに右端を押圧された可動片１１と接触片１２が、各々支点部１１Ａと１２Ｂが係合保持された保持体１０の係止部１０Ａと１０Ｂを支点として、保持体１０をさらに撓ませながら下方へ揺動し、これに伴って接触片１２のアーム状の可動接点部１２Ａがケース１の内底面上を左方向へ弾接摺動し、両側の可動接点部１２Ａが固定接点８と９に弾接することによって、接触片１２を介して固定接点８と９が電気的に接続される。
【００２１】
そして、ノブ７の操作部７Ａの押圧力を解除すると、保持体１０の弾性復帰力によって可動片１１や接触片１２が図１の押圧前の位置に復帰すると共に、接触片１２の可動接点部１２Ａもケース１の内底面上を図中の右方向へ弾接摺動して、固定接点８と９から離れ電気的にＯＦＦとなる。
【００２２】
このように本実施の形態によれば、略コの字状の保持体１０全体を撓ませ、この弾性力によって固定接点８と９の電気的接離を行うように構成されているため、保持体１０に局部的な応力が発生する部分がなくスイッチとしての長寿命化が図れると共に、保持体１０や接触片１２を小さな形状にすることができるためスイッチの小形化が図れ、安価なプッシュスイッチを得ることができる。
【００２３】
また、ノブ７下面には保持体１０を収容する中空の収容部７Ｃが設けられており、ノブ７を押圧操作した際にこの中空の収容部７Ｃが保持体１０を覆うように構成されているため、ノブ７が下方へ移動する寸法分だけ全体の高さを低くでき、スイッチの小形化を図ることができる。
【００２４】
そして、接触片１２の可動接点部１２Ａが固定接点８と９上を弾接摺動して電気的接離を行うため、押圧操作の度に可動接点部１２Ａと固定接点８，９の当接部がセルフクリーニングされ、電気的に安定した接触抵抗を得ることもできる。
【００２５】
さらに、固定接点８と９との電気的接離を接触片１２の両側に設けたアーム状の可動接点部１２Ａにより行うことによって、可動接点部１２Ａの固定接点８と９への弾接力を、保持体１０が撓む弾性力とは別に設定することが可能になるため、スイッチの使用される電圧電流や周囲の環境等に合わせて、可動接点部１２Ａの最適な弾接力を設定することができ、スイッチの電気的な信頼性を高めることができる。
【００２６】
（実施の形態２）
図５は本発明の第２の実施の形態によるプッシュスイッチの断面図であり、同図において、可動片１１と接触片１３が保持体１４に揺動可能に係合保持されていることは実施の形態１と同様であるが、保持体１４のケース１内底面との固定端は固定接点の一つと一体形成されており、また接触片１３のアーム状の可動接点部１３Ａはケース２３の内底面に植設された固定接点１５の上方に対向して設けられている。
【００２７】
このように構成された本実施の形態のプッシュスイッチは、ノブ７の操作部７Ａを下方向へ押圧操作すると、ノブ７下面に右端を押圧された可動片１１と接触片１３が、各々保持体１４との係止部を支点として下方へ揺動することは実施の形態１と同様であるが、これに伴って接触片１３のアーム状の可動接点部１３Ａが固定接点１５に弾接することによって、接触片１３を介して保持体１４と固定接点１５との電気的接続が行われる。
【００２８】
このように、保持体１４のケース２３の内底面との固定端が固定接点の一つと一体形成されているため、スイッチの使用部品数を削減できると共に、保持体１４のケース２３内底面への固定を固定接点１５の植設と同時に行うことができるため、スイッチの組立て作業を簡素化することができる。
【００２９】
（実施の形態３）
図６は本発明の第３の実施の形態によるプッシュスイッチの断面図であり、同図において、ケース１６上端面の内側壁には突出部１６Ａが設けられ、この突出部１６Ａにノブ２４本体部の上面が当接して、ケース１６内にノブ２４が収納されている。
【００３０】
このプッシュスイッチの組立て方法について説明すると、内底面に固定接点８と９を並設すると共に、可動片１１と接触片１２を揺動可能に係合保持した保持体１０の一端を固定したケース１６に、上面開口部からノブ２４を挿入すると、ケース１６のヒンジ部１６Ｂがノブ２４の下面のテーパ部２４Ｂに押し開かれて一旦外方に開き、ケース１６内にノブ２４が収納されるとケース１６の弾性力によってヒンジ部１６Ｂが元に戻って、ノブ２４の上面に突出部１６Ａが当接しスイッチが完成する。
【００３１】
このように本実施の形態によれば、ケース１６上面の内側壁に設けた突出部１６Ａにノブ２４本体部の上面を当接させてケース１６内にノブ２４を収納しているため、ケース１６上面を覆うカバーが不要となり使用部品数を削減できると共に、ノブ２４をケース１６にワンタッチで収納できるため、スイッチの組立て作業の簡素化を図ることができる。
【００３２】
（実施の形態４）
図７は本発明の第４の実施の形態によるプッシュスイッチの要部断面図であり、図７（ａ）において、可動片１７と接触片１８は一つの金属薄板によって一体形成され、端部の折曲した連結部１９によって接続されている。
【００３３】
このプッシュスイッチの組立て方法について説明すると、図７（ａ）に示すように一体形成された可動片１７と接触片１８を、図７（ｂ）に示すようにやや撓ませた保持体１０に、可動片１７端部の支点部１７Ａと接触片１８端部の支点部１８Ａを、保持体１０の自由端と固定端に設けた係止部１０Ａと１０Ｂに各々係合保持させて組立て、その後、端部の連結部１９をＡ−Ａ面で切断すると、可動片１７と接触片１８が二つに分割され、保持体１０の弾性力によって可動片１７と接触片１８の係合部１７Ｂと１８Ｂが係合保持されて、保持体１０に可動片１７と接触片１８が装着されたスイッチユニット２０が完成する。
【００３４】
このように、可動片１７と接触片１８が一体形成されているため、スイッチの使用部品数を削減できると共に、これを保持体１０に組込んで連結部１９を切断することによって、あらかじめ保持体１０に可動片１７と接触片１８を装着したスイッチユニット２０を組立て、部品のユニット化を図ることができるため、スイッチ組立て作業時間を短縮することができる。
【００３５】
【発明の効果】
以上のように本発明によれば、小形で長寿命の安価なプッシュスイッチを得ることができるという有利な効果が得られる。
【図面の簡単な説明】
【図１】本発明の第１の実施の形態によるプッシュスイッチの断面図
【図２】同ケースの上面図
【図３】同可動片と接触片の斜視図
【図４】同プッシュスイッチの動作を説明する断面図
【図５】本発明の第２の実施の形態によるプッシュスイッチの断面図
【図６】本発明の第３の実施の形態によるプッシュスイッチの断面図
【図７】本発明の第４の実施の形態によるプッシュスイッチの要部断面図
【図８】従来のプッシュスイッチの断面図
【図９】同プッシュスイッチの動作を説明する断面図
【符号の説明】
７，２４  ノブ
７Ａ  操作部
７Ｂ  突起
７Ｃ  収容部
８，９，１５  固定接点
１０，１４  保持体
１０Ａ，１０Ｂ  係止部
１１，１７  可動片
１１Ａ，１７Ａ  支点部
１１Ｂ，１７Ｂ  係合部
１２，１３，１８  接触片
１２Ａ，１３Ａ  可動接点部
１２Ｂ，１８Ａ  支点部
１２Ｃ，１８Ｂ  係合部
１６Ａ  突出部
１６Ｂ  ヒンジ部
１９  連結部
２０  スイッチユニット
２１，２３  ケース
２２  カバー
２２Ａ  開口孔
２４Ｂ  テーパ部
【図１】
0003820680.tif 000002
【図２】
0003820680.tif 000003
【図３】
0003820680.tif 000004
【図４】
0003820680.tif 000005
【図５】
0003820680.tif 000006
【図６】
0003820680.tif 000007
【図７】
0003820680.tif 000008
【図８】
0003820680.tif 000009
【図９】
0003820680.tif 000010